(57)【要約】【課題】商品の陳列をより整然とし、かつ商品選択をしやすくした電子商取引システムを提供する。【解決手段】商品選択画面Ｂは、少なくとも、商品の属性を行、列に区分して特定した商品情報を、選択操作部ｂ２５とともに、それぞれの桝目ｂ２３に表示させた桝目欄ｂ２０を有した商品桝目選択画面を構成しており、商品選択画面Ｂには、選択操作部ｂ２５で選択された商品についての購入情報を記憶する格納ボタンｂ３３を設けている【選択図】図１
2007293575.tif 000002
【特許請求の範囲】
【請求項１】
購入者が通信端末器から通信ネットワークを介して販売者サーバをアクセスして、表示させた商品選択画面の操作を通じて、商品購入を行う電子商取引システムにおいて、
上記商品選択画面は、少なくとも、商品の属性を行、列に区分して特定した商品情報を、選択操作部とともに、それぞれの桝目に表示させた桝目欄を有した商品桝目選択画面を構成しており、
上記商品選択画面には、上記選択操作部で選択された商品についての購入情報を記憶する格納ボタンを設けていることを特徴とする特徴とする電子商取引システム。
【請求項２】
請求項１において、
上記商品選択画面は、商品カテゴリを選択されるようにした商品カテゴリ選択画面の最下層にある選択画面を通じて選択表示させる構成にしたことを特徴とする電子商取引システム。
【請求項３】
請求項２において、
上記商品カテゴリ選択画面は、商品カテゴリ選択ボタンを行、列に配列表示させたカテゴリ配列欄が表示されることを特徴とする電子商取引システム。
【請求項４】
請求項２または３において、
上記商品カテゴリ選択画面と上記商品桝目選択画面の階層構造を示し、各画面の呼出ボタンを有した商品マップ画面をさらに備えていることを特徴とする電子商取引システム。
【請求項５】
請求項１〜４のいずれかにおいて、
上記商品選択画面は、見積ボタンを設けるとともに、上記桝目欄のそれぞれの桝目には、商品の単価が表示され、かつ、上記選択操作部として商品の購入個数の入力窓を設けており、
上記販売者サーバは、上記見積ボタンの操作によって、選択された商品の合計金額を算出し表示させるようにしたことを特徴とする電子商取引システム。
【請求項６】
請求項１〜５のいずれかにおいて、
上記商品桝目選択画面のそれぞれの桝目に設けた選択操作部は、非表示に設定できるようにしたことを特徴とする電子商取引システム。
【請求項７】
請求項１〜６のいずれかにおいて、
上記商品桝目選択画面のそれぞれの桝目は、在庫数、販売条件などに変更を生じたときには、他の桝目とは異なる表示態様に設定できるようにしたことを特徴とする電子商取引システム。
【発明の詳細な説明】
【技術分野】
【０００１】
本発明は、購入者が通信端末器を操作し通信ネットワークを介して、販売者サーバをアクセスして商品を注文する電子商取引システムの改良に関し、特に購入者による商品選択を容易にして購入者の便宜を図るようにしたものに関するものである。
【背景技術】
【０００２】
近年、インターネットを利用したＢｔｏＢ、ＢｔｏＣなどの電子商取引システムが数多くの企業、商店等において実施されている。
【０００３】
例えば、ある電子書店サイトの場合には、ユーザがパソコン等の通信端末器を操作してその電子書店サイトをアクセスして、作家名などのキーワードを画面から入力指定すると、電子書店サイトは、そのキーワードをもとに書籍データベースを検索し、検索された書籍を要求があったユーザのパソコン画面上に一覧表示させて、ユーザはその一覧から所望の書籍を選択して注文できるようになっている。
【０００４】
また、ある電子文具サイトであれば、カテゴリ検索などで対象の商品グループを絞り込ませ、その商品グループの中から所望の文具を選択できるようになっている。
【０００５】
これらのサイトはいずれもデータベース技術を駆使したもので、データベース検索によって、ユーザは自身のパソコン画面に目的の商品あるいはそれに類する商品群をならべて表示させることができる。
【０００６】
さらに、インターネットを利用した電子商取引システムにおいては、自社システムを有さない小規模の企業、商店が簡易に出店できる仮想ショッピングモールも普及している。
【０００７】
この種の仮想モールは、購入者が迅速に目的の商品あるいは仮想店舗を見つけ出すために、カテゴリ検索などで、対象の商品グループとそれらを取り扱う各仮想店舗を一覧表示し、購入者がその一覧の中から１つの商品を選択すれば、その仮想店舗の店舗画面がユーザのパソコンに表示されるようになっている。
【０００８】
各仮想店舗の店舗画面は、あらかじめバックオフィス（店舗管理者）側で店舗ごとに設計した商品レイアウトがそのまま仮想商品棚として、ユーザのパソコン画面に表示されるものである。
【０００９】
以上のように、これら種々の電子商取引システムはいずれも、購入者側がキーワード検索やあらかじめ準備された分類絞り込みによって所望の商品グループあるいは仮想店舗を見つけ出すことを容易にしている。
【００１０】
なお、次の文献には、複数の系列小売店の中から地域ごとに店舗や商品の検索ができる電子商取引システムが記載されている。
【特許文献１】特開２００２−１６９９８３
【発明の開示】
【発明が解決しようとする課題】
【００１１】
しかしながら、ＢｔｏＢの商取引においては、購入者が例えばケーキ店、飲食店などの小売店である場合、これらの購入者は概ね、特定の材料を、その材料を販売する卸売店などの特定の販売者から購入するため、上記のような商品グループあるいは仮想店舗をそのつど探し出す必要性はほとんどなく、現状ではそのような検索機能をあまり利用していない。むしろ、そのような購入者は、商品選択画面でいち早く、かついちどに複数種類の商品を数多く選択して注文できるシステムを望んでいる。
【００１２】
上記の電子商取引サイトや仮想モールは、商品グループあるいは仮想店舗を見つけ出すまでは迅速に行えるものであるが、上記のようなＢｔｏＢの購入者を満足させるものではない。
【００１３】
また、ＢｔｏＣを想定した仮想モールにおいても、各仮想店舗は比較的自由に商品レイアウトを設計できる利点はあるが、Ｗｅｂデザインに不慣れな者が雑然とした商品レイアウトを設計してしまうといった欠点もある。そして、たとえ仮想モールの商品検索でその店舗がヒットされても、雑然として見づらい商品レイアウトを見て注文をためらうこともある。
【００１４】
このような事情から、ＢｔｏＢ、ＢｔｏＣのいずれであっても、商品データベースの検索技術を駆使するよりは、商品選択をよりしやすくした整然とした商品レイアウトを提供することのほうが、電子商取引を成功させるにはむしろ重要である。
【００１５】
本発明は、このような問題を解決すべく提案されたもので、その目的は、商品の陳列をより整然とし、かつ商品選択をしやすくした電子商取引システムを提供することにある。
【課題を解決するための手段】
【００１６】
上記目的を達成するために、請求項１に記載の電子商取引システムは、購入者が通信端末器から通信ネットワークを介して販売者サーバをアクセスして、表示させた商品選択画面の操作を通じて、商品購入を行う電子商取引システムにおいて、商品選択画面は、少なくとも、商品の属性を行、列に区分して特定した商品情報を、選択操作部とともに、それぞれの桝目に表示させた桝目欄を有した商品桝目選択画面を構成しており、商品選択画面には、上記選択操作部で選択された商品についての購入情報を記憶する格納ボタンを設けていることを特徴とする。
【００１７】
請求項２では、商品桝目選択画面は、商品カテゴリを選択されるようにした商品カテゴリ選択画面の最下層にある選択画面を通じて選択表示させる構成にしている。
【００１８】
請求項３では、商品カテゴリ選択画面は、商品カテゴリ選択ボタンを行、列に配列表示させたカテゴリ配列欄が表示されるようにしている。
【００１９】
請求項４では、商品カテゴリ選択画面と商品桝目選択画面の階層構造を示し、各画面の呼出ボタンを有した商品マップ画面をさらに備えている。
【００２０】
請求項５では、商品選択画面は、見積ボタンを設けるとともに、それぞれの桝目には、商品の単価が表示され、かつ商品の購入個数の入力窓を選択ボタンに代えて設けており、販売者サーバは、見積ボタンの操作によって、選択された商品の合計金額を算出し表示させるようにしている。
【００２１】
請求項６では、商品桝目選択画面のそれぞれの桝目に設けた選択ボタンは、非表示に設定できるようにしている。
【００２２】
請求項７では、商品桝目選択画面のそれぞれの桝目は、在庫数、販売条件などに変更を生じたときには、他の桝目とは異なる表示態様に設定できるようにしている。
【発明の効果】
【００２３】
請求項１に記載の電子商取引システムによれば、商品の属性を行、列に区分して特定した商品情報を選択操作部とともにそれぞれの桝目に表示させた桝目欄を画面表示させるようにしているため、購入者は整列された２次元マトリクス状の桝目欄によって、容易に商品選択でき、かつ同時に複数の商品を選択することができる。
【００２４】
また、各桝目欄と同一の画面内に共通欄を設ければ、各桝目商品に共通の事項をその共通欄に表示させることができ、そのため各桝目内に表示させる事項を少なくでき、シンプルで見やすい商品選択画面にすることができる。
【００２５】
特に、本発明システムを仮想モールに採用すれば、各仮想店舗では桝目欄の各桝目に商品を割り付けるだけでよいため、商品レイアウトのデザインをＷｅｂデザイナーなどに依頼する必要がなく、店舗側で商品選択画面に表示させる桝目欄の属性を決める程度で商品レイアウトを設計することができる。
【００２６】
請求項２に記載の電子商取引システムによれば、商品桝目選択画面は、商品カテゴリを選択されるようにした商品カテゴリ選択画面の最下層にある選択画面を通じて選択表示させるようにしているため、購入者は上位から下位に画面を切替操作するだけで、所望の商品選択画面を表示させることができる。
【００２７】
請求項３に記載の電子商取引システムによれば、商品カテゴリ選択画面は、商品カテゴリ選択ボタンを行、列に配列表示させたカテゴリ配列欄が表示されるようにしているため、商品選択と同様、カテゴリ選択もしやすくなり、複数の商品カテゴリ選択画面から商品選択画面まで終始、桝目状の一覧を見ながら選択することができる。
【００２８】
また、カテゴリの属性を行、列に区分したカテゴリ配列欄を表示させることもできるため、多くの属性で分類される商品を、商品カテゴリ選択画面のカテゴリ配列欄と、商品選択画面の桝目欄とにより、より見やすく選択しやすい情報に整列させることができる。
【００２９】
請求項４に記載の電子商取引システムによれば、画面の階層構造を示した商品マップ画面を有しているため、商品の分類を把握しやすいとともに、各画面の呼出ボタンを備えているので、目的の画面を簡単に呼び出せる。
【００３０】
請求項５に記載の電子商取引システムによれば、それぞれの桝目には、商品の単価が表示されかつ商品の購入個数の入力窓を設けているため、同一商品を複数注文することができ、ＢｔｏＢに適しているとともに、合計を算出するようにした見積ボタンを設けているため、いちどに注文しようとしている多種類、多数の商品の見積りを即座に得ることができる。
【００３１】
請求項６に記載の電子商取引システムによれば、それぞれの桝目に設けた選択ボタンあるいは購入個数の入力窓を非表示に設定できるようにしているため、売切れの商品の選択を禁止させることができる。
【００３２】
請求項７に記載の電子商取引システムによれば、商品桝目選択画面のそれぞれの桝目は、在庫数、販売条件などに変更を生じたときには、他の桝目とは異なる表示態様に設定できるようにしているため、商品情報の表示を桝目ごとに個別に対応することができる。
【発明を実施するための最良の形態】
【００３３】
以下に、本発明の実施の形態について、添付図面とともに説明する。
【実施例１】
【００３４】
図１は、本発明の電子商取引システムのシステム関連図である。
【００３５】
本発明システム１は、利用者がパソコンなどの通信端末器２０から、インターネットなどの通信ネットワークＬを介して、販売者サーバ１０をアクセスして取引できるようにした電子商取引システムである。販売者サーバ１０側では、販売すべき商品の情報が商品データベース１１に登録されている。
【００３６】
この販売者サーバ１０は、Ｗｅｂサーバとして構築されており、購入者が通信端末器２０を操作してアクセスしてきたときには、購入者が購入を希望する商品について、商品データベース１１から対象となる商品の単価等の商品情報を取り出し、２次元に配列させた桝目状の桝目欄３０（図５等に図示）を含んだ商品選択画面Ｂ（図２を参照）の画面情報１２を編集し、その画面情報１２を購入者の通信端末器２０に送信して、通信端末器２０の表示画面にブラウザ（不図示）を通じて画面情報１２をダウンロードさせて表示させ、さらに、その商品選択画面Ｂを操作することで商品の選択ができるようにしている。
【００３７】
商品データベース１１は、商品ごとに区分され、商品カテゴリ属性、商品属性および商品の単価を少なくとも有した商品個別情報１１ａと、複数の関連商品について情報が共通した商品群共通情報１１ｂとを含んで構成される。
【００３８】
販売者サーバ１０は、購入者の通信端末器２０の操作にしたがい、複数の関連商品からなる特定の商品群について、商品群共通情報１１ｂにもとづく共通事項を商品選択画面Ｂの共通欄ｂ１０（図５を参照）に、その商品群に含まれる複数の関連商品の単価等を２次元に配列させた桝目状の一覧表を商品選択画面Ｂの桝目欄ｂ２０（図５等を参照）に表示させる。そして、その商品選択画面Ｂで商品が選択され、予定購入個数が入力され、カート格納操作がなされると、その購入情報が販売者サーバ１０に返信される。
【００３９】
本発明システムの機能、処理について、図２、図３を参照しながら説明する。
【００４０】
図２は、本発明システムの機能（画面）構成の例を示した図である。本発明システムは、トップページＴの下位に、販売者用のバックオフィス機能（画面）として、商品情報を登録、修正できるようにした商品登録・修正機能（画面）Ｅ、在庫管理機能（画面）Ｆ、システムの管理・保守等を目的としたシステム管理機能（画面）Ｇなどを有し、購入者用の機能（画面）として、ユーザ登録画面Ｄ、商品カテゴリ選択画面Ａ、桝目状の一覧表で商品を注文できる商品選択画面Ｂ、カートに格納された商品情報を一覧表示するカート表示画面Ｃ、全ての商品カテゴリと商品との階層構造を示した商品マップ画面Ｈなどを有している。
【００４１】
なお後述するように、商品カテゴリ選択画面Ａは、大分類、中分類、小分類などのように多階層に区分されていてもよい。
【００４２】
販売者用の各画面Ｅ、Ｆ、Ｇは、販売者サーバ１０またはインターネットＬに接続された端末で販売者用（または管理者用）の特定のユーザＩＤ、パスワードを入力することによって呼び出される。また、購入者用の画面は、インターネットＬに接続された購入者のパソコン等の通信端末器２０で、購入者の操作によって呼び出される。
【００４３】
なお、本発明システムを仮想モールに採用した場合には、商品登録・修正画面Ｅは商品情報の登録、修正のみならず、購入者の通信端末器２０に表示させる商品カテゴリ選択画面Ａや商品選択画面Ｂなどを店舗側で画面設計する機能を含んでもよい。すなわち、仮想店舗の商品棚のレイアウト設計を、商品を登録、修正しながらできるようにしてもよい。
【００４４】
これらのＷｅｂ画面は、販売者サーバ１０側でＨＴＭＬ、ＸＭＬ等のページ記述言語によって記述され画面情報ファイルとして準備され、あるいは購入者より要求があったときに動的に生成され、通信端末器２０に搭載したブラウザが、インターネットＬを介してサーバ１０をアクセスして必要とする画面情報ファイル１２をダウンロードし、そのファイル内容にしたがって通信端末器２０の画面に表示する。上述した商品選択画面Ｂも、画面情報ファイル１２として生成される。
【００４５】
Ｗｅｂ画面はＧＵＩ（グラフィカル・ユーザ・インターフェース）を実現しているため、このようなＷｅｂ画面によりシステムの各種機能を構成すれば、情報の表示だけでなく、通信端末器２０からのデータ入力、サーバ１０への送信やページ切替なども表示画面を通じて容易に行うことができる。
【００４６】
また、購入者側からの操作要求にもとづいて、販売者サーバ１０側でＣＧＩ（Ｃｏｍｍｏｎ  Ｇａｔｅｗａｙ  Ｉｎｔｅｒｆａｃｅ）またはＳＳＩ（Ｓｅｒｖｅｒ  Ｓｉｄｅ  Ｉｎｃｌｕｄｅ）を駆動して、要求された情報を商品データベース１１から取り出し、その情報にもとづくＷｅｂ画面の画面情報ファイル１２を動的に生成して、購入者用通信端末器２０に表示させることも可能としている。すなわち、販売者サーバ１０は、あらかじめ準備した固定画の画面情報に可変データを含ませて購入者側の通信端末器２０で表示させる画面情報ファイル１２を生成し、それを要求があった通信端末器２０に送出する。
【００４７】
例えば、購入者用の通信端末器２０で、商品カテゴリ選択画面Ａを呼び出したのち、そのメニューの中から特定の商品カテゴリが選択されれば、販売者サーバでは、その選択にもとづいて、商品データベース１１の中から対象となるカテゴリの商品群の情報を取り出して、後述するような共通欄ｂ１０、桝目欄ｂ２０を含む商品選択画面Ｂに種々の商品情報を可変データとして含ませて画面情報１２を生成して、その画面情報１２を購入者の通信端末器２０に送信して画面表示させるようにしている。
【００４８】
図３は、本発明システム１の基本構成を示したものである。なお、本図においては、本発明システム１の要部である商品カテゴリ選択画面Ａ、商品選択画面Ｂを通じて実行される商品選択／カート格納処理１３、カート表示画面Ｃを通じて実行される一覧表示／注文受付処理１４、商品データベース１１、商品データベース１１へ商品情報を登録、修正登録するためのデータ入力処理１２、商品選択操作によって商品が記憶、格納されるカート（記憶エリア）１５、注文を受け付けた際に動作する受注処理１６を図示しているが、ユーザ登録画面Ｄや在庫管理機能Ｆ、システム管理機能Ｇに関する処理、あらかじめ保存されているＨＴＭＬで構成された種々の画面構成情報ファイル、通信処理、購入者通信端末器２０で稼動するブラウザは図示を省略している。以下、各処理を個別に説明する。
【００４９】
データ入力処理１２は、販売者サーバ１０に接続された端末１０ａから商品登録・修正画面Ｅを通じて登録、修正された商品情報を商品データベース１１に保存、更新登録する動作を実行する。なお、仮想モールの場合には、インターネットＬを介して接続された端末１０ａより登録、修正操作が行われる。
【００５０】
また、商品データベース１１へのデータ入力は、このような画面による登録、修正に限られず、メーカーや卸業者の通信端末２１などを通じて提供を受けた商品情報データを、商品データベース１１のレコード情報にフォーマット変換し編集するようなバッチ処理であってもよい。
【００５１】
商品選択／カート格納処理１３は、購入者用の通信端末器２０で、多階層の商品カテゴリ選択画面Ａを購入者に操作させながら所望の商品群の商品選択画面Ｂを表示し、その商品群の商品選択画面Ｂに共通欄ｂ１０と桝目欄ｂ２０とを表示し、購入者に桝目欄ｂ２０の各桝目に所望の商品の予定購入個数を入力させると、数量入力された商品の合計金額を計算し表示し、さらにその後の購入者のカート格納操作により、選択した商品をカート１５に格納する構成となっている（ステップ１３０〜１３５）。
【００５２】
一覧表示／注文受付処理１４は、購入者用の通信端末器２０にカート表示画面Ｃを表示させ、その画面で注文操作がされたときにカート１５に格納された商品の注文を受け付ける構成となっている（ステップ１４０、１４１）。
【００５３】
受注処理１６は、一覧表示／注文受付処理１４により受け付けた注文情報にもとづいて、所定の受注に関する処理、例えば、受注伝票の作成、在庫の確認などの処理を実行する。
【００５４】
また、商品データベース１１は、少なくとも図４に示す項目を含んだレコードを含んで構成される。図４（ａ）は商品個別情報レコード１１ａ、（ｂ）は商品群共通情報レコード１１ｂの項目内容を示したものである。なおここでは、電子商取引で扱う商品種類として衣料品を例示する。
【００５５】
商品個別情報レコード１１ａは、商品ごとに生成されており、商品コード、商品カテゴリ属性１・・・商品カテゴリ属性ｎ、商品属性１、商品属性２、販売単価などの情報を含んでいる。
【００５６】
ここで、商品カテゴリ属性には、図９〜図１１に示すように、例えばレディース衣料、メンズ衣料などの大分類の属性、例えばメンズ衣料の場合の背広、カッターシャツなどの中分類の属性、例えばカッターシャツの場合のカラー（えり）サイズ、色柄などの小分類の属性を含んでいる。また、商品属性は、例えばカッターシャツであれば、商品属性１（行属性）が首回りサイズ、商品属性２（列属性）がゆき丈などの、２つの属性を含んでいる。
【００５７】
また、商品群共通情報レコード１１ｂには、最下層の商品カテゴリでグルーピングされた商品群の共通事項が登録される。そのレコード項目として、商品群コード、商品群名称、素材、販売単位、共通的な商品画像などが含まれる。ここで、最下層の商品カテゴリとは、画面構成上、多階層の商品カテゴリ画面Ａのうち最下層に位置付けられたもので、商品選択画面Ｂの直上位にあたる商品カテゴリである。
【００５８】
なお、商品データベース１１は、上記のレコード区分やレコード構成のものに限られず、他のものであってもよい。少なくとも、商品分類情報、販売単価などが商品別に取り出せる構成であればよい。
【００５９】
図５〜図７は、商品選択画面Ｂの表示態様の例を示した図である。
【００６０】
図５は、商品桝目選択画面を構成する商品選択画面Ｂの一例を示した図である。
【００６１】
商品選択画面Ｂは、ある最下層の商品カテゴリでグルーピングされた商品群（ここではポロシャツ）の共通情報を表示する共通欄ｂ１０と、色を列項目の属性、サイズを行項目の属性とする２次元配列の桝目欄ｂ２０と、さらに見積ボタンｂ３１、合計金額表示部ｂ３２、格納ボタンｂ３３などを含んで構成される。
【００６２】
なお、後述する図６、図７および図１２に示した商品選択画面Ｂでは、共通欄ｂ１０の図示を省略する。
【００６３】
また、見積ボタンｂ３１、合計金額表示部ｂ３２は、商品選択画面Ｂに設けずに、選択商品、購入個数を選択した後、別画面で表示するようにしてもよい。商品選択画面Ｂに、見積ボタンｂ３１、合計金額表示部ｂ３２を組み込んだものでは、その画面情報を見ながら、選択した商品を確認しながら操作できるので、購入者の操作が容易で便利である。
【００６４】
共通欄ｂ１０には、商品データベース１１の商品群共通情報レコード１１ｂから取り出した商品見本画像ｂ１１、商品名、素材、販売単位などの共通事項が表示される。この商品見本画像ｂ１１は写真のみならず、シンボルや絵で構成されたものでもよい。
【００６５】
桝目欄ｂ２０には、行属性ｂ２１、列属性ｂ２２の項目表示欄を設け、これら商品の属性を行、列に区分して特定した商品情報を、行、列の交点である各桝目ｂ２３に表示させる。各桝目ｂ２３内の上段には単価ｂ２４が、下段には予定購入個数の入力窓ｂ２５ａが表示され、この入力窓ｂ２５ａが、購入個数の入力を可能とした入力操作エリアで、商品の選択操作部ｂ２５を構成する。この入力窓ｂ２５ａは購入個数をテンキーで直接入力されるようにしてもよいし、プルダウンメニューで販売単位の倍数が表示され、その中から選択できるようにしてもよい。購入者は、この入力窓ｂ２５ａに個数を入力することによってその桝目ｂ２３の商品を選択することができる。
【００６６】
なお、桝目欄ｂ２０にも、シンボルや絵、写真で表示された商品情報を表示させてもよい。例えば、色の項目欄ｂ２２に、色の付いたポロシャツのシンボルを表示させたり、各色の列全体をその色で表示させたりすれば、購入者は選択を誤ることなく入力できる。
【００６７】
また、図５に例示しているように、各桝目ｂ２３の入力窓ｂ２５ａは、売切れや在庫なしの場合に非表示とすることができる。バックオフィス側で在庫状態を確認して、画面レイアウト設計時に表示／非表示を設定してもよいし、購入者がこの画面をアクセスしたときに、販売者サーバ１０に保存している在庫データ（不図示）を参照してリアルタイムに判断し表示させるようにしてもよい。なお、非表示とする代わりに、背景色、バルーン表示などによって表示態様を異ならせてもよい。
【００６８】
このような桝目ｂ２３ごとに表示態様を異ならせるようにすれば、購入者側では、在庫切れ間近の商品や価格変更した商品、販売条件を変更した商品をすぐに知ることができる。
【００６９】
購入者がこの画面Ｂを呼び出したのち、桝目欄ｂ２０内の所望の商品の桝目ｂ２３の入力窓ｂ２５ａに予定購入個数を入力し、見積ボタンｂ３１を操作すると、選択された商品を識別する情報とその予定購入個数等が販売者サーバ１０に返信され、サーバ１０では、その商品の予定購入個数と単価にもとづき購入合計金額が演算され、さらに、すでに選択済みの商品について合算され、その合計額を合計金額表示部ｂ３２に表示させるための画面情報１２が通信端末器２０に送信され、画面情報１２を受け取った通信端末器２０ではブラウザの動作によって画面が更新される。そのような操作を繰り返されるごとに表示が更新され、その後、購入者が格納ボタンｂ３３を操作すると、予定購入個数の入力済みの商品についての商品情報が販売者サーバ１０へ送信され、カート１５に格納される。
【００７０】
また、複数の商品選択画面Ｂにまたがって選択操作した場合には、格納ボタンｂ３３が操作されるつど同一のカート１５に順次、商品情報が記憶、格納されてゆき、見積ボタンｂ３１が操作されるつど、それまでに合算した総合計金額が表示される。
【００７１】
また、格納ボタンｂ３３の操作がされると、カート１５に商品情報が格納されるとともに、図１４で後述するカート表示画面Ｃをジャンプ表示するようにしている。
【００７２】
また本例では、合計額の算出を販売者サーバ１０側で行うようにしているが、商品カテゴリ選択画面Ａで商品群が選択され、画面情報１２が送られてくるときに、その情報に合計金額算出用の演算プログラムをスクリプトとして含ませたものを送信しておいてもよい。つまり、購入者が商品を選択して予定購入個数を入力して見積ボタンｂ３１を操作したときには、販売者サーバ１０側には算出要求されず、通信端末器２０にダウンロードした画面情報１２に含まれる合計金額演算ロジック（プログラム）で合計金額の算出が行われる。また、通信端末器２０側で演算をする場合には、見積ボタンｂ３１による指令を省略するような構成であってもよい。
【００７３】
このように、本発明システム１の商品選択画面Ｂでは、商品の属性を行、列に区分して特定した商品の単価などの商品情報を購入個数の入力窓ｂ２５ａとともにそれぞれの桝目ｂ２３に表示させた桝目欄ｂ２０を画面表示させるようにしているため、購入者は整列された２次元マトリクス状の桝目欄ｂ２０によって、容易に商品選択でき、かつ同時に複数の商品を選択することができる。そのため、ＢｔｏＢの電子商取引には有効なシステムとなり得る。
【００７４】
特に、本システム１を仮想モールに採用すれば、各仮想店舗では桝目欄ｂ２０の各桝目２３に商品を割り付けるだけでよいため、商品レイアウトのデザインをＷｅｂデザイナーなどに依頼する必要がなく、店舗側で商品選択画面Ｂに表示させる桝目欄ｂ２０の属性を決める程度で商品棚のレイアウト設計ができる。
【００７５】
また、画像等の共通欄ｂ１０は、桝目欄ｂ２０と同じ商品選択画面Ｂ上で、桝目欄ｂ２０とは分離されて表示されるので、見本画像ｂ１１や素材、メーカーなどの共通事項を、商品選択する画面と同じ画面上で見やすく確認することができ、きわめて便利である。この共通欄ｂ１０に表示する共通事項を、画面上だけではなく、データベース１１のレコードにおいても、上記のように商品個別情報とは別の商品群共通情報として分けて、そのレコードに応じた入力画面を準備すれば、販売者側での入力も時間がかからず、データ登録の省力化が図れる。
【００７６】
図６、図７は、商品選択画面Ｂの表示態様の他例を示す図である。
【００７７】
これらの画面例では、選択操作部ｂ２５として、購入個数の入力窓ｂ２５ａの代わりにチェックボックスｂ２５ｂを各桝目ｂ２３内に配置している。商品の数に限りがある等の理由により、同一商品を複数個選択させたくない場合に有効である。図６は単価ｂ２４を含んだもの、図７は単価表示のないものを示している。
【００７８】
なお、選択操作部ｂ２５として、購入個数入力窓ｂ２５ａ、チェックボックスｂ２５ｂに代えて、桝目欄ｂ２０の全桝目ｂ２３の中から１つしか選択できないようにしたラジオボタンを設けてもよい。
【００７９】
次に、商品選択に関する画面の階層構造について説明する。
【００８０】
図８は、画面の階層構造の一例を示した図である。また、このような階層構造を表した画面は商品マップ画面Ｈに表示される。
【００８１】
この商品マップ画面Ｈは、商品カテゴリあるいは商品の名称、画像などの識別情報が、商品カテゴリ選択画面Ａあるいは商品選択画面Ｂを呼び出すための各呼出ボタンｗに割り当て表示される。
【００８２】
この例では、大分類、中分類の２階層の商品カテゴリによって選択できる商品群と、大分類、中分類、小分類の３階層の商品カテゴリによって選択できる商品群が混在したものを図示している。いずれの場合も、商品選択画面Ｂは、最下層の商品カテゴリ選択画面Ａの下位に位置付けられる。もちろん商品カテゴリ選択画面Ａは１層であってもよいし、さらに多層であってもよい。また、大分類の商品カテゴリ選択画面ＡはトップページＴの中でメニューとして表示させてもよい。
【００８３】
また、特売用の商品選択画面Ｂを設けてもよく、図例のように、より上位に配置すれば販売促進につながる。
【００８４】
なお、この階層構造は、上位の画面から下位の画面へと順次、画面切替によって表示できるものであるが、このような階層操作でしか表示できないものではなく、商品マップ画面Ｈからの呼出ボタンｗの操作や他の画面からのリンク、直接ＵＲＬ入力などでも表示できるようにしている。また、トップページＴなど上位の画面に、目玉商品などの商品の商品桝目選択画面Ｂに表示切替できるようなショートカットボタンを設けてもよい。
【００８５】
この多階層分類の画面構成は、バックオフィス側で自由に設計できるようにすればよい。例えば、複数のカテゴリに含まれる多重分類の商品があれば、その商品の商品選択画面Ｂは、いずれの経路からでも到達できるようにしてもよい。
【００８６】
図９〜図１１は、図１２に示す商品選択画面Ｂを表示させるための大分類、中分類、小分類の各商品カテゴリ選択画面Ａを示したものである。なお、ここでは衣料を販売する仮想店舗を例示している。
【００８７】
まず、大分類の商品カテゴリ選択画面Ａ１には、衣料を大きく分類した商品カテゴリに対応する選択ボタンａ１１が、図示するようにカテゴリ配列欄ａ１０に整列されている。この例では、カテゴリ配列欄ａ１０は３行、４列の桝目状の配列テーブルであり、その各桝目にレディース、メンズ、ペア、子供、ベビーおよび特売の各商品カテゴリを割り当てている。
【００８８】
ただし、この画面Ａ１に示したカテゴリ配列欄ａ１０は、見かけ上は整列しているが、行、列のそれぞれに属性を割り付けたものではなく、また選択ボタンａ１１の並び順の規則もなく、単に行ごとに左から右へと順に選択ボタンａ１１を割り当てただけのものである。もちろん、歯抜け状態に並べたものであってもよい。
【００８９】
このカテゴリ配列欄ａ１０の中から例えばメンズの選択ボタンａ１１が選択操作されると、図１０に示した中分類の商品カテゴリ選択画面Ａ２に切り替わる。
【００９０】
この中分類の商品カテゴリ選択画面Ａ２には、メンズ衣料をさらに細かく分類した商品カテゴリに対応する選択ボタンａ２１が、図示するようにカテゴリ配列欄ａ２０に整列されている。この例では、カテゴリ配列欄ａ２０は３行、４列の桝目状の配列テーブルであり、その各桝目に背広、ブレザー、ジャケット、ズボン、カッターシャツ、その他シャツ、ネクタイ、ネクタイピン、下着、くつ下の各カテゴリを割り当てている。
【００９１】
このカテゴリ配列欄ａ２０も、上記１０種の中分類カテゴリの選択ボタンａ２１を羅列させただけの表示構成である。
【００９２】
このカテゴリ配列欄ａ２０の中からカッターシャツのボタンａ２１が選択操作されると、図１１に示した小分類の商品カテゴリ選択画面Ａ３に切り替わる。
【００９３】
この小分類の商品カテゴリ選択画面Ａ３には、カッターシャツをさらに分類した商品カテゴリに対応した商品カテゴリ選択ボタンａ３１が、図示するようにカテゴリ配列欄ａ３０に整列されている。しかも、このカテゴリ配列欄ａ３０は、商品カテゴリ選択ボタンａ３１を見かけ上整列させただけのものではなく、縦軸に行項目ａ３２を、横軸に列項目ａ３３を設け、行にカラー（えり）のカテゴリ属性を、列に色柄のカテゴリ属性を割り当てている。つまり、この商品カテゴリ選択画面Ａ３は、商品選択画面Ｂと同様、行、列を特定することによって１つのカテゴリが選択できるようになっている。
【００９４】
このカテゴリ選択欄ａ３０の中から白・レギュラーカラーカッターシャツが選択されると、図１２の商品選択画面Ｂに切り替わる。
【００９５】
図１２に示した商品選択画面Ｂは、上述の商品選択画面Ｂ（図５を参照）と同様、白・レギュラーカラーカッターシャツというカテゴリの商品群の共通情報を表示する共通欄ｂ１０（図１２では不図示）と、首回りを行属性ｂ２１、ゆき丈を列属性ｂ２２とする２次元配列の桝目欄ｂ２０と、さらに見積ボタンｂ３１、合計金額表示部ｂ３２、カートへの商品転送を操作するための格納ボタンｂ３３を含んで構成される。
【００９６】
この商品選択画面Ｂにおける商品選択操作およびシステム動作は、図３〜図５などで説明しているとおりである。
【００９７】
以上のように、商品選択画面Ｂは、商品カテゴリを選択されるようにした商品カテゴリ選択画面Ａの最下層にある選択画面（本例では小分類の商品カテゴリ選択画面Ａ３）を通じて選択表示させるようにしているため、サイトを初めて訪れた購入者であっても、商品カテゴリの上位から下位に画面を切替操作するだけで所望の商品選択画面Ｂを表示させることができる。
【００９８】
また、商品カテゴリ選択画面Ａは、商品カテゴリ選択ボタンａ３１を行、列に配列表示させたカテゴリ配列欄ａ３０が表示されるようにしているため、商品選択と同様、カテゴリ選択もしやすくなり、複数の商品カテゴリ選択画面Ａから商品選択画面Ｂまで終始、桝目状の一覧を見ながら選択することができる。
【００９９】
なお、カテゴリ配列欄ａ１０、ａ２０、ａ３０は、商品選択画面Ｂの桝目欄ｂ２０と同様、行、列に商品カテゴリ属性を割り付けて２次元に配列させたもの、カテゴリを特定規則の順で並べたもの、あるいは無秩序にカテゴリを並べたもののいずれでもよい。
【０１００】
また、上記の例では、小分類の商品カテゴリ選択画面Ａ３において行、列に２種の商品カテゴリ属性を割り当て、商品選択画面Ｂにおいて行、列に２種の商品属性を割り当てており、計４種の属性によって１商品が選択される構成であるが、この４種の属性のうちから、購入者の通信端末器２０で、購入者の操作によって商品選択画面Ｂの桝目欄ｂ２０の２つの属性を選択できるようにしてもよい。つまり、購入者が桝目欄ｂ２０を自由に選択設計できるようにしてもよい。
【０１０１】
図１１、図１２の例では、白・レギュラーカラーのカッターシャツの中から複数サイズの商品を複数選択できるため、例えば商店の従業員のユニフォームをまとめて注文するようなときには便利であるが、個人客の場合には、その個人の首回り、ゆき丈は決まっているため、複数のカラー、色柄の商品を選びたい場合には、そのつど図１１、図１２の画面操作を繰り返さなければならず、操作が不便である。
【０１０２】
しかし、この画面階層を購入者側で変更でき、小分類の商品カテゴリ画面Ａ３に首回り、ゆき丈を行、列属性とするカテゴリ配列欄ａ３０を表示させ、商品選択画面Ｂにカラー、色柄を行、列属性とする桝目欄ｂ２０を表示させるようにすれば、購入者は商品選択画面Ｂで複数の商品を選択することができる。
【０１０３】
このように商品カテゴリの属性と商品の属性とを組み合わせて、その中から桝目欄ｂ２０を表示させるようにするには、商品データベース１１を多次元データベースで構成すれば、より簡易にシステムを構成することができる。
【０１０４】
図１３は、商品選択画面のさらに他の例を示した図である。本例は、購入個数の範囲を、桝目欄ｂ２０の行属性ｂ２１に指定しており、購入個数が多いほど販売単価を低価格に設定している。つまり、このような商品属性の設定は商店、団体、企業などによるまとめ買いに適している。なお、購入個数範囲は列属性に指定してもよい。
【０１０５】
また、行、列属性には、支払い条件、商品引渡し条件などの取引条件を設定できるようにしてもよい。例えば、行属性に現金一括振込、カード払い、代金引換などに区分される支払条件を行あるいは列属性に設定し、図１３の例と同様に、販売単価を異ならせるようにしてもよい。
【０１０６】
最後に、カート表示画面Ｃについて説明する。図１４は、カート表示画面Ｃの一例を示す図である。
【０１０７】
カート表示画面Ｃは、商品選択画面Ｂの格納ボタンｂ３３が操作されることによって表示される。なお、トップページなどから表示できるようにしてもよい。
【０１０８】
カート表示画面Ｃは、購入者が商品選択画面Ｂで格納ボタンｂ３３を操作して選択した全ての商品の購入情報を一覧として表示するもので、本実施例では、商品選択画面Ｂで格納ボタンｂ３３の操作をした時に必ず画面切替によって自動表示される。
【０１０９】
商品の購入情報には、図示するように、商品選択画面Ｂごとの数量、金額などを含み、さらにその商品選択画面Ｂで選択された個別の商品の数量、金額なども含んでいる。個別商品の数量、金額は、内訳ボタンｃ１１操作によって画面表示するようにすればよい。また、支払い条件、商品引渡し条件などが決定している場合は、それらも表示すればよい。
【０１１０】
このように、カート格納操作によってカート表示画面Ｃを切替表示するようにしているため、商品選択画面Ｂで商品を選択するごとに、そのつどカートの中身が確認でき、一連の注文操作を迅速に行える。
【０１１１】
カート表示画面Ｃ上には、商品購入情報の一覧表ｃ１０と、合計情報ｃ２０と、注文ボタンｃ３０とが表示され、注文ボタンｃ３０が操作されると、販売者サーバ１０では、その注文の受付処理を行う。
【図面の簡単な説明】
【０１１２】
【図１】本発明の電子商取引システムのシステム系統図である。
【図２】本発明システムの機能（画面）構成の例を示した図である。
【図３】本発明システムの基本構成を示した図である。
【図４】本発明システムの商品データベースの構造を示した図である。
【図５】商品選択画面の表示態様の一例を示した図である。
【図６】商品選択画面の表示態様の他例を示した図である。
【図７】商品選択画面の表示態様のさらに他例を示した図である。
【図８】本発明システムの画面階層構造の一例を示した図である。
【図９】商品カテゴリ選択画面（大分類）の一例を示した図である。
【図１０】商品カテゴリ選択画面（中分類）の一例を示した図である。
【図１１】商品カテゴリ選択画面（小分類）の一例を示した図である。
【図１２】商品選択画面の一例を示した図である。
【図１３】商品選択画面の他例を示した図である。
【図１４】カート表示画面の一例を示した図である。
【符号の説明】
【０１１３】
１      電子商取引システム
Ｌ      通信ネットワーク
１０      販売者サーバ
２０      通信端末器
Ｂ      商品選択画面
ｂ２０      桝目欄
ｂ２３      桝目
ｂ２５      選択操作部
ｂ２５ａ      入力窓
ｂ２５ｂ      チェックボックス
ｂ３１      見積ボタン
ｂ３３      格納ボタン
ｗ      呼出ボタン
Ａ、Ａ１、Ａ２、Ａ３      商品カテゴリ選択画面
ａ１０、ａ２０、ａ３０      カテゴリ配列欄
ａ１１、ａ２１、ａ３１      商品カテゴリ選択ボタン
【図１】
2007293575.tif 000003
【図２】
2007293575.tif 000004
【図３】
2007293575.tif 000005
【図４】
2007293575.tif 000006
【図５】
2007293575.tif 000007
【図６】
2007293575.tif 000008
【図７】
2007293575.tif 000009
【図８】
2007293575.tif 000010
【図９】
2007293575.tif 000011
【図１０】
2007293575.tif 000012
【図１１】
2007293575.tif 000013
【図１２】
2007293575.tif 000014
【図１３】
2007293575.tif 000015
【図１４】
2007293575.tif 000016